(57)【要約】【課題】クライアント機器の状況が変化した場合にも無線伝送媒体を用いた通信を効率よく行えるようにする。【解決手段】優先順位が最下位であったクライアント機器５の状況が変化してデータ送受信量を増やす必要が生じた場合、サーバ機器１０は、クライアント機器５から得られる状況データを用いてリストデータを更新し、クライアント機器５の優先順位を上げる。これにより、１回の専有区間内でのデータ送受信量を増やすことが可能となる。この場合、サーバ機器１０は、ＰＣＦ（Ｐｏｉｎｔ  Ｃｏｏｒｄｉｎａｔｉｏｎ  Ｆｕｎｃｔｉｏｎ）の区間Ａにおけるクライアント機器５の専有区間Ａ３を全体として長くし、その分だけ、例えばクライアント機器２の専有区間Ａ１を短くする。【選択図】    図９
2004186717.tif 000002
【特許請求の範囲】
【請求項１】
無線伝送媒体を介して各クライアント機器に接続可能なサーバ機器であって、
前記無線伝送媒体の専有使用が許可された各クライアント機器に専有期間を割り当てる際の各クライアントの優先順位を示すリストデータを記憶する記憶手段と、
前記記憶手段に記憶される前記リストデータに基づき、優先順位の高い順に各クライアント機器に前記無線伝送媒体の専有使用を優先して許可する制御手段と、
いずれかのクライアントから当該クライアントの状況を示す状況データが送信されてきた場合、少なくともその状況データを用いて前記リストデータ上の各クライアントの優先順位の並び替えを行う更新手段と
を具備することを特徴とするサーバ機器。
【請求項２】
前記状況データは、クライアント機器が必要とする転送レートを示すデータを含んでいることを特徴とする請求項１記載のサーバ機器。
【請求項３】
前記更新手段は、少なくともクライアント機器の種類を示す種別データと前記状況データとの組合せに基づいて、前記優先順位の並び替えを行うことを特徴とする請求項１記載のサーバ機器。
【請求項４】
前記更新手段は、前記状況データの時間的変化を参照して、前記優先順位の並び替えを行うことを特徴とする請求項１記載のサーバ機器。
【請求項５】
前記更新手段は、あるクライアント機器の前記リストデータへの登録またはその削除を行った場合にも、前記優先順位の並び替えを行うことを特徴とする請求項１記載のサーバ機器。
【請求項６】
無線伝送媒体を介してサーバ機器に接続可能なクライアント機器であって、
前記クライアント機器による前記無線伝送媒体の専有使用の許可を前記サーバ機器に要求する手段と、
前記サーバにより前記許可が認められた後に、前記クライアント機器の状況を示す状況データを前記サーバ機器に送信する手段と
を具備することを特徴とするクライアント機器。
【請求項７】
前記状況データは、前記クライアント機器が必要とする転送レートを示すデータを含んでいることを特徴とする請求項６記載のクライアント機器。
【請求項８】
前記送信手段は、前記クライアント機器の状況に変化があったときに、前記状況データを送信することを特徴とする請求項６記載のクライアント機器。
【請求項９】
無線伝送媒体を介して各クライアント機器に接続可能なサーバ機器による通信制御方法であって、
前記無線伝送媒体の専有使用が許可された各クライアント機器に専有期間を割り当てる際の各クライアントの優先順位を示すリストデータを前記サーバ機器に記憶しておき、
前記リストデータに基づき、優先順位の高い順に各クライアント機器に前記無線伝送媒体の専有使用を優先して許可する制御を前記サーバ機器によって行い、
いずれかのクライアントから当該クライアントの状況を示す状況データが前記サーバ機器に送信されてきた場合、少なくともその状況データを用いて前記リストデータ上の各クライアントの優先順位の並び替えを行うことを特徴とする通信制御方法。
【請求項１０】
前記状況データは、クライアント機器が必要とする転送レートを示すデータを含んでいることを特徴とする請求項９記載の通信制御方法。
【請求項１１】
前記優先順位の並び替えは、少なくともクライアント機器の種類を示す種別データと前記状況データとの組合せに基づいて行われることを特徴とする請求項９記載の通信制御方法。
【請求項１２】
前記優先順位の並び替えは、前記状況データの時間的変化を参照して行われることを特徴とする請求項９記載の通信制御方法。
【請求項１３】
前記優先順位の並び替えは、あるクライアント機器の前記リストデータへの登録またはその削除を行った場合にも行われることを特徴とする請求項９記載の通信制御方法。
【発明の詳細な説明】
【０００１】
【発明の属する技術分野】
本発明は、複数の機器間で行われる通信の制御を行う通信制御方法、サーバ機器、及びクライアント機器に関する。
【０００２】
【従来の技術】
近距離無線技術を使って、サーバ機器（ＡＰ）とクライアント機器（ＳＴＡＴＩＯＮ）との間でデータの送受信を行う方法として、複数の方法が考えられている。例えば、代表的な無線ＬＡＮ規格であるＩＥＥＥ８０２．１１では、通信を行う方法として２つの方法が使用可能である。
【０００３】
１つは、ＤＣＦ（Ｄｉｓｔｒｉｂｕｔｅｄ  Ｃｏｏｒｄｉｎａｔｉｏｎ  Ｆｕｎｃｔｉｏｎ）と呼ばれる方法である。この方法は、データを送信したいクライアント機器は最初にデータ送信のために使用する無線伝送媒体を他のどの機器も使っていないこと（競合のない状態）をチェックし、使っていないことを確認した後データの送信を行うというものである。しかしながら、この方法では無線伝送媒体が使われていないことを確認した後にしかデータの送信を行えないため、一定期間内に機器間で必ずデータを送受信できるという保証がない。
【０００４】
もう一つは、ＰＣＦ（Ｐｏｉｎｔ  Ｃｏｏｒｄｉｎａｔｉｏｎ  Ｆｕｎｃｔｉｏｎ）と呼ばれる方法である。この方法は、サーバ機器が接続関係にあるクライアント機器を集中管理するものである。この方法を使用する場合、サーバ機器での集中管理を望むクライアント機器は、あらかじめサーバ機器に対してＰＣＦによって管理されることの要求を出す。サーバ機器は、要求を受け付けたクライアント機器のリストデータを保持し、このリストデータに載っているクライアント機器に対して一定期間ごとに無線伝送媒体を専有して使用することを許可する。これにより、一定期間内にデータの送信ができることをある程度保証することが可能になり、動画データのようにデータの送受信を滞りなく連続して行う必要がある場合も効率よくデータの送受信が行えるようになる。
【０００５】
そのほか、通信サービスの品質を向上させる方法としては、例えば特許文献１に示されるものがある。この文献によれば、ＱｏＳ調整のために、各通信ストリーム毎に生成されるストリームエージェントのＱｏＳ管理部が、リソース量としきい値とを比較し、その結果に応じてストリームのリソース量の調整を行う。
【０００６】
【特許文献１】
特許第２９５５２８７号公報
【０００７】
【発明が解決しようとする課題】
前述のように、無線伝送技術を使って効率のよいデータの送受信を行う（一定期間内でデータの送受信を行う）場合は、サーバ機器でクライアント機器を集中管理して各クライアント機器が専有して使用する無線伝送媒体の割り当てを行う方法をとる必要がある。
【０００８】
しかしながら、このようなサーバ機器が管理するリストデータ内に登録される各クライアント機器の優先順位は、サーバ機器とクライアント機器の接続関係がある間、基本的には更新されることがない。このため、クライアント機器の状況が変化し、必要な送受信データ量に大きな変化があったときには、無線伝送媒体を用いたデータの送受信が効率よく行われないという問題がある。
【０００９】
本発明は上記実情に鑑みてなされたものであり、クライアント機器の状況が変化した場合にも無線伝送媒体を用いた通信を効率よく行うことのできる、通信制御方法、サーバ機器、及びクライアント機器を提供することを目的とする。
【００１０】
【課題を解決するための手段】
本発明に係るサーバ機器は、無線伝送媒体を介して各クライアント機器に接続可能なサーバ機器であって、前記無線伝送媒体の専有使用が許可された各クライアント機器に専有期間を割り当てる際の各クライアントの優先順位を示すリストデータを記憶する記憶手段と、前記記憶手段に記憶される前記リストデータに基づき、優先順位の高い順に各クライアント機器に前記無線伝送媒体の専有使用を優先して許可する制御手段と、いずれかのクライアントから当該クライアントの状況を示す状況データが送信されてきた場合、少なくともその状況データを用いて前記リストデータ上の各クライアントの優先順位の並び替えを行う更新手段とを具備することを特徴とする。
【００１１】
また、本発明に係るクライアント機器は、無線伝送媒体を介してサーバ機器に接続可能なクライアント機器であって、前記クライアント機器による前記無線伝送媒体の専有使用の許可を前記サーバ機器に要求する手段と、前記サーバにより前記許可が認められた後に、前記クライアント機器の状況を示す状況データを前記サーバ機器に送信する手段とを具備することを特徴とする。
【００１２】
また、本発明に係る通信制御方法は、無線伝送媒体を介して各クライアント機器に接続可能なサーバ機器による通信制御方法であって、前記無線伝送媒体の専有使用が許可された各クライアント機器に専有期間を割り当てる際の各クライアントの優先順位を示すリストデータを前記サーバ機器に記憶しておき、前記リストデータに基づき、優先順位の高い順に各クライアント機器に前記無線伝送媒体の専有使用を優先して許可する制御を前記サーバ機器によって行い、いずれかのクライアントから当該クライアントの状況を示す状況データが前記サーバ機器に送信されてきた場合、少なくともその状況データを用いて前記リストデータ上の各クライアントの優先順位の並び替えを行うことを特徴とする。
【００１３】
【発明の実施の形態】
以下、図面を参照して本発明の実施形態を説明する。
【００１４】
図１は、本発明の一実施形態に係る通信システムの構成を示す図である。
【００１５】
通信システムは、単一のサーバ機器（ＡＰ）１０と複数のクライアント機器（ＳＴＡ１〜ＳＴＡ５）１〜５とから構成される。
【００１６】
サーバ機器１０とクライアント機器１〜５とは、無線ＬＡＮ規格であるＩＥＥＥ８０２．１１に準拠した近距離無線技術を用いて、互いにデータの送受信を行うことが可能である。通信方法としては、ＩＥＥＥ８０２．１１に規定されたＤＣＦ（Ｄｉｓｔｒｉｂｕｔｅｄ  Ｃｏｏｒｄｉｎａｔｉｏｎ  Ｆｕｎｃｔｉｏｎ）及びＰＣＦ（Ｐｏｉｎｔ  Ｃｏｏｒｄｉｎａｔｉｏｎ  Ｆｕｎｃｔｉｏｎ）と呼ばれる方法が適用される。
【００１７】
ＤＣＦは、データを送信したいクライアント機器は最初にデータ送信のために使用する無線伝送媒体を他のどの機器も使っていないこと（競合のない状態）をチェックし、使っていないことを確認した後データの送信を行うというものである。
【００１８】
ＰＣＦは、サーバ機器１０が接続関係にあるクライアント機器（例えばクライアント機器２、３、５）を集中管理するものである。この方法を使用する場合、サーバ機器１０による集中管理を望むクライアント機器は、あらかじめサーバ機器１０に対してＰＣＦによって管理されることの要求を出す。サーバ機器１０は、要求を受け付けたクライアント機器のリストデータを保持し、このリストデータに載っているクライアント機器に対して一定期間ごとに無線伝送媒体を専有して使用することを許可する。
【００１９】
図２は、ＩＥＥＥ８０２．１１に規定されたＰＣＦおよびＤＣＦの区間（期間）について説明するための図である。
【００２０】
同図において、区間Ａは、ＰＣＦの区間に相当し、各クライアント機器が無線伝送媒体を一定区間専有して使用できる区間である。区間Ｂは、ＤＣＦの区間に相当し、各クライアント機器が無線伝送媒体を獲得して使用する区間である。区間Ｃは、区間Ａと区間Ｂとを合わせた区間であり、実際にはこの区間Ｃが繰り返されることになる。
【００２１】
図３は、サーバ機器１０が保持するリストデータ（主要部）の一例を示す図である。
【００２２】
同図には、サーバ機器１０にクライアント機器１〜５が接続しており、そのうちのクライアント機器２、３、５がサーバ機器１０による集中管理下での無線伝送媒体専有使用を許可されている場合のリストデータ例が示されている。この例では、各クライアント機器に専有期間を割り当てる際の優先順位は、クライアント機器２、３、５の順である。
【００２３】
図４は、図３のリストデータに基づいて決定される各クライアント機器の専有区間について説明するための図である。
【００２４】
図４においては、前に説明した図２中の区間Ａの詳細が示されている。すなわち、図４中の区間Ａにおいては、最初に、優先順位が１であるクライアント機器２の専有区間Ａ１が設けられる。その後に、優先順位が２であるクライアント機器３の専有区間Ａ２が設けられる。最後に、優先順位が３であるクライアント機器５の専有区間Ａ３が設けられる。
【００２５】
なお、クライアント機器１、４がデータの送受信を行う場合は、「Ｂ」区間を使用することになる。
【００２６】
本実施形態は、例えば、家庭内においてホームサーバ等のサーバ機器１０と、ＴＶ等のＡＶ機器、ＰＣ、冷蔵庫・洗濯機などの家電機器、カメラなどの防犯機器といったクライアント機器１〜５とを無線でつなぐ家庭内ネットワークに適用した場合を想定している。この場合、クライアント機器の種類によって送受信するデータの量が大きく違うことが考えられる。
【００２７】
例えば、サーバ機器１０であるホームサーバに蓄積しているＴＶ録画番組を、クライアント機器である大画面のモニタへ送信して見る場合、大画面モニタでは、ホームサーバからデータを受信する場合は、Ｍｂｐｓ単位のデータ量が常に必要である。一方、冷蔵庫の状態をホームサーバで管理するために情報をやり取りする場合は、数ｋｂｐｓ単位のデータ量で十分である。また、パーソナルコンピュータ（ＰＣ）のように使用するアプリケーションの状況によって送受信するデータの量が数ｋｂｐｓ〜数Ｍｂｐｓまで大きく変化する機器や、玄関に設置したカメラのように撮影した映像をホームサーバに送信する場合だけ大容量のデータ量となり、通常は何も送るデータがないため送受信するデータ量は０に近いといった機器もある。
【００２８】
このように家庭内ネットワークでは、サーバ機器１０と送受信するデータの量がクライアント機器の種類や機器の状況によって大きく変化することが十分に考えられる。このため、本実施形態では、データの送受信を効率よく行うために前述のＰＣＦのようなサーバ機器１０が集中して管理する方法でデータの送受信を行う方法をとる場合に、サーバ機器１０内の各クライアント機器の管理データを当該機器の種類（ＴＹＰＥ）や当該機器の状況によって柔軟に更新できる仕組みを設ける。特に、本実施形態では、サーバ機器１０がデータの送受信を集中管理する際にサーバ機器１０内に保持するクライアント機器管理データ（リストデータ）をクライアント機器の状況に合わせて柔軟に更新する機能を備える。
【００２９】
図５は、同実施形態に係るサーバ機器１０の内部構成を示すブロック図である。
【００３０】
サーバ機器１０は、入力部１１、制御部１２、記憶部１３、および無線部１４を備えている。
【００３１】
入力部１１は、キーボード、マウス、リモコン、タッチパッド等の入力装置に相当し、各種情報を入力して機器の操作を行うために使用される。
【００３２】
制御部１２は、機器全体の制御を司るものであり、無線機能を使ったデータの送受信処理のほか、リストデータを参照して優先順位の高い順に各クライアント機器に前記無線伝送媒体の専有使用を優先して許可する制御などを行う。この制御部１２は、クライアント機器の種類を示す種別データを取得してリストデータに記録する機能のほか、いずれかのクライアントから当該クライアントの状況を示す状況データが送信されてきた場合には、これを取得してリストデータに記録し、その状況データと種別データとに基づいてリストデータ上の各クライアントの優先順位の並び替えを行う更新機能をも備えている。
【００３３】
記憶部１３は、機器内の各種情報や受信したデータなどを記憶する。また、記憶部１３は、無線伝送媒体の専有使用を許可した各クライアント機器に専有期間を割り当てる際の各クライアントの優先順位を示すリストデータを記憶するものである。
【００３４】
無線部１４は、ＩＥＥＥ８０２．１１等の近距離無線技術を使ってデータの送受信を行うものである。
【００３５】
図６は、同実施形態に係るクライアント機器１〜５の内部構成を示すブロック図である。
【００３６】
各クライアント機器は、入力部２１、制御部２２、記憶部２３、無線部２４、および出力部２５を備えている。
【００３７】
入力部２１は、キーボード、マウス、リモコン、タッチパッド等の入力装置に相当し、各種情報を入力して機器の操作を行うために使用される。
【００３８】
制御部２２は、機器全体の制御を司るものであり、無線機能を使ったデータの送受信処理などを行う。この制御部２２は、当該クライアント機器の種類を示す種別データを添えて、当該クライアント機器による無線伝送媒体の専有使用の許可をサーバ機器１０に要求する機能のほか、サーバ機器１０により上記許可が認められた後、必要時に自身の機器の状況を示す状況データを収集し、その状況データをサーバ機器１０に送信する機能をも備えている。
【００３９】
記憶部２３は、機器内の各種情報や受信したデータなどを記憶するものである。
【００４０】
無線部２４は、ＩＥＥＥ８０２．１１等の近距離無線技術を使ってデータの送受信を行うものである。
【００４１】
出力部２５は、ディスプレイ、スピーカ等の装置に相当し、データを画像や音声として出力するものである。
【００４２】
図６は、種別データ（機器ＴＹＰＥ情報）の一例を示す図である。
【００４３】
同図において、「ＴＹＰＥ１」は、常に一定区間毎のデータの送受信が必要な機器に相当し、例えばＴＶ等のＡＶ機器が該当する。「ＴＹＰＥ２」は、状況によって一定区間毎のデータの送受信が必要な機器に相当し、例えばＰＣや防犯機器が該当する。「ＴＹＰＥ３」は、一定区間のデータの送受信が必要ない機器に相当し、例えば冷蔵庫等の家電機器が該当する。この場合、優先順位は、「ＴＹＰＥ１」、「ＴＹＰＥ２」、「ＴＹＰＥ３」の順に設定される傾向がある。
【００４４】
図７は、サーバ機器１０が保持するリストデータの一例を示す図である。
【００４５】
なお、リストデータ中の「状況データ」は、例えば、クライアント機器が必要とする転送レート（要求レート）を示すものとする。
【００４６】
同図のリストデータにおいては、ＰＣＦ区間において無線伝送媒体を一定区間専有することを許可されている機器として、クライアント機器２、３、５が登録されている。
【００４７】
ここで、クライアント機器２、３は「ＴＹＰＥ１」に相当し、クライアント機器５は「ＴＹＰＥ２」に相当するものとする。また、クライアント機器２の要求レートは「１Ｍｂｐｓ」であり、クライアント機器３の要求レートは「０．５Ｍｂｐｓ」であり、クライアント機器５の要求レートは「０．１Ｍｂｐｓ」であるものとする。
【００４８】
サーバ機器１０は、前述の上記優先順位を、例えば、種別データと状況データ（要求レート）との組合せに基づいて決定する。図７の例では、「種別データ」の観点で優先度を判断すると、クライアント機器５よりもクライアント機器２、３の方が優先されることになる。また、種類が同じクライアント機器２、３に対し、「要求レート」の観点で優先度を判断すると、クライアント機器３よりもクライアント機器２の方が優先される。従って、この場合のリストデータ上の優先順位は、クライアント機器２、３、５の順に設定される。
【００４９】
いま、図８（ａ）に示されるようにサーバ機器１０が保持するリストデータ（主要部）において優先順位がクライアント機器２、３、５の順に設定され、図８（ｂ）に示されるように各クライアント機器に対して専有区間が割り当てられている状態にあるものとする。
【００５０】
ここで、クライアント機器５の状況が変化してデータ送受信量を増やす必要が生じた場合を考える。この場合、従来であれば、リストデータ内の優先順位は変わらないため、１回の専有区間内のデータ送受信量を増やせない可能性がある。
【００５１】
すなわち、性質が異なる家庭内の複数のクライアント機器を１つのネットワークで接続し、１度作成したリストデータをそのまま固定で使用してサーバ機器とクライアント機器との間でデータの送受信を行っていると、機器の状況が変化した場合、適切に対応できない場合が考えられる。例えば、図８（ａ）のように、リストデータ中の最下位に位置するクライアント機器５の状況が変化し、サーバ機器と送受信する必要のあるデータ量が増えても、専有区間はリストデータの上位に位置するクライアント機器によって大部分を使用されてしまい、クライアント５の機器が単位時間内で送受信できるデータ量を増やせない可能性が生じる。
【００５２】
これに対して本実施形態では、クライアント機器５の状況が変化してデータ送受信量を増やす必要が生じた場合、サーバ機器１０は、少なくともクライアント機器５から得られる状況データを用いて、図９（ａ）に示されるようにリストデータを更新し、クライアント機器５の優先順位を上げる。これにより、１回の専有区間内でのデータ送受信量を増やすことが可能となる。この場合、図８（ｂ）との比較で分かるように、図９（ｂ）のようにクライアント機器５の専有区間Ａ３を全体として長くし、その分だけ、例えばクライアント機器２の専有区間Ａ１を短くする。
【００５３】
次に、図１０のフローチャートを参照して、接続処理でのリストデータ追加処理の流れを説明する。
【００５４】
クライアント機器１〜５のいずれかからサーバ機器１０に対して接続要求が行われる（ステップＡ１）。
【００５５】
これにより、サーバ機器１０は、接続要求のあったクライアント機器に対する接続処理を行う（ステップＡ２）。
【００５６】
ここで、サーバ機器１０は、接続処理を行ったクライアント機器からリストデータへの登録要求があるかどうかをチェックする（ステップＡ３）。
【００５７】
リストデータへの登録要求があった場合、サーバ機器１０は、リストデータの最後に新たに管理するクライアント機器のデータを追加登録する（ステップＡ４）。なお、リストデータへの登録要求がなければ、処理を終了する。
【００５８】
また、サーバ機器１０は、上記クライアント機器から機器ＴＹＰＥ情報が送信されているかどうかをチェックする（ステップＡ５）。
【００５９】
上記クライアント機器に対応する機器ＴＹＰＥ情報が送信されてきた場合、サーバ機器１０は、その機器ＴＹＰＥ情報をリストデータ上に追加登録する（ステップＡ６）。なお、上記クライアント機器から機器ＴＹＰＥ情報が送られてこない場合、あらかじめサーバ機器１０で設定されているデフォルトの機器ＴＹＰＥ情報（例えば、図６に示される「ＴＹＰＥ３」）を登録する（ステップＡ７）。
【００６０】
機器ＴＹＰＥ情報の追加登録を行った後、サーバ機器１０は、機器ＴＹＰＥ情報、状況データ等を使ってリストデータの並び替えを行う（ステップＡ８）。
【００６１】
次に、図１１のフローチャートを参照して、接続解除処理でのリストデータ削除処理の流れを説明する。
【００６２】
データリストに登録されているクライアント機器のいずれか、あるいは、サーバ機器１０から接続解除要求が行われる（ステップＢ１）。
【００６３】
サーバ機器１０は、接続解除の対象となるクライアント機器がリストデータに登録されているかどうかをチェックする（ステップＢ２）。
【００６４】
ここで、接続解除の対象となるクライアント機器がリストデータに登録されていれば、サーバ機器１０は、そのクライアント機器のデータをリストデータ上から削除する（ステップＢ３）。このとき、サーバ機器１０は、そのクライアント機器の実際の接続解除も行う。なお、接続解除の対象となるクライアント機器がリストデータに登録されていれば、処理を終了する。
【００６５】
サーバ機器１０は、上記クライアント機器のデータをリストデータ上から削除した後、機器ＴＹＰＥ情報、状況データ等を使ってリストデータの並び替えを行う（ステップＢ４）。
【００６６】
次に、図１２のフローチャートを参照して、クライアント機器の状況データ送信処理の流れを説明する。
【００６７】
データリストへの登録が済んでいるクライアント機器は、当該クライアント機器内で、サーバ機器に送信するクライアント機器内部の最新状況データの収集を行う（ステップＣ１）。
【００６８】
クライアント機器は、収集した状況データをサーバ機器１０に送信する（ステップＣ２）。
【００６９】
次に、図１３のフローチャートを参照して、サーバ機器１０の状況データ受信処理の流れを説明する。
【００７０】
サーバ機器１０は、クライアント機器から送信された最新の状況データを受信する（ステップＤ１）。
【００７１】
ここで、サーバ機器１０は、状況データを送信してきたクライアント機器がリストデータに登録されているかどうかをチェックする（ステップＤ２）。
【００７２】
状況データを送信してきたクライアント機器がリストデータに登録されていれば、サーバ機器１０は、ステップＤ１で受信したクライアント機器の状況データをリストデータに反映させる（ステップＤ３）。なお、状況データを送信してきたクライアント機器がリストデータに登録されていなければ、処理を終了する。
【００７３】
サーバ機器１０は、状況データをリストデータに反映させた後、機器ＴＹＰＥ情報、状況データ等を使ってリストデータの並び替えを行う（ステップＤ４）。
【００７４】
次に、図１４のフローチャートを参照して、リストデータの順位変更処理の流れを説明する。
【００７５】
サーバ機器１０は、各クライアント機器の状況データ、機器ＴＹＰＥ情報等のリストデータ内の情報を使って、所定の計算式により各クライアント機器の優先順位を計算する（ステップＥ１）。
【００７６】
サーバ機器１０は、ステップＥ１において計算した優先順位の高いものから順に各クライアント機器のデータが並ぶように、リストデータを並び替える（ステップＥ２）。
【００７７】
このように本実施形態では、クライアント機器が必要とするデータ送受信量に変化が発生した場合は、サーバ機器に対してクライアント機器の状況データを送信し、クライアント機器からの最新の状況データを受信したサーバ機器は、リストデータに記憶されているクライアント機器の状況データを更新し、リストデータの並び替えを行う。リストデータの並び替えを行うことで、例えば図９に示したようにクライアント５の状況が変化し、必要なデータ送受信量が増えた場合も柔軟に対応できるようになる。
【００７８】
最適なリストデータの並び替えルールについてはいくつか考えられるが、例えば、機器ＴＹＰＥ情報、機器ＴＹＰＥ毎の重要度、最新の機器状況（要求レート）、前回の機器状況からの差（以前の要求レートと今回の要求レートとの差）、リストデータ内のクライアント機器数、専有区間時間など複数の情報を組み合わせて求める方法などが考えられる。
【００７９】
本発明は、上述した実施形態に限定されるものではなく、その要旨を逸脱しない範囲内で種々変形して実施することが可能である。
【００８０】
【発明の効果】
以上詳記したように本発明によれば、クライアント機器の状況が変化した場合にも無線伝送媒体を用いた通信を効率よく行うことができる。
【図面の簡単な説明】
【図１】本発明の一実施形態に係る通信システムの構成を示す図。
【図２】ＰＣＦおよびＤＣＦの区間について説明するための図。
【図３】サーバ機器が保持するリストデータ（主要部）の一例を示す図
【図４】図３のリストデータに基づいて決定される各クライアント機器の専有区間について説明するための図。
【図５】サーバ機器の内部構成を示すブロック図。
【図６】クライアント機器の内部構成を示すブロック図。
【図７】サーバ機器が保持するリストデータの一例を示す図。
【図８】更新前のリストデータおよび専有区間の割り当てを示す図。
【図９】更新後のリストデータおよび専有区間の割り当てを示す図。
【図１０】接続処理でのリストデータ追加処理の流れを示すフローチャート。
【図１１】接続解除処理でのリストデータ削除処理の流れを示すフローチャート。
【図１２】クライアント機器の状況データ送信処理の流れを示すフローチャート。
【図１３】サーバ機器の状況データ受信処理の流れを示すフローチャート。
【図１４】リストデータの順位変更処理の流れを示すフローチャート。
【符号の説明】
１〜５…クライアント機器
１０…サーバ機器
１１…入力部
１２…制御部
１３…記憶部
１４…無線部
２１…入力部
２２…制御部
２３…記憶部
２４…無線部
２５…出力部
【図１】
2004186717.tif 000003
【図２】
2004186717.tif 000004
【図３】
2004186717.tif 000005
【図４】
2004186717.tif 000006
【図５】
2004186717.tif 000007
【図６】
2004186717.tif 000008
【図７】
2004186717.tif 000009
【図８】
2004186717.tif 000010
【図９】
2004186717.tif 000011
【図１０】
2004186717.tif 000012
【図１１】
2004186717.tif 000013
【図１２】
2004186717.tif 000014
【図１３】
2004186717.tif 000015
【図１４】
2004186717.tif 000016